(57)【要約】鋸刃が高度な切断性能を持ち、ラップフィルムが、その切断端部から縦、横、斜めの意図しない方向に裂けることを抑制できるラップフィルム収納箱を提供する。ラップフィルム収納箱Ａは、箱本体部１０から引き出されたラップフィルムＦを切断する鋸刃Ｋを有する。鋸刃Ｋの歯山２０の箱本体部１０のセンターラインＣＬ側の傾斜と平坦部２１との間の円弧の曲率半径Ｒ１が、０．３６×（（Ｈ１＋Ｈ２）／２）＜Ｒ１＜０．５５×（（Ｈ１＋Ｈ２）／２）の条件を満たし、歯山２０の箱本体部１０のエンドラインＥＬ側の傾斜と平坦部２１との間の円弧の曲率半径Ｒ２が、０．３６×（（Ｈ１＋Ｈ２）／２）＜Ｒ２＜０．５５×（（Ｈ１＋Ｈ２）／２）の条件を満たしている。
2014181752.tif 000002
【特許請求の範囲】
【請求項１】
筒状の巻回ラップフィルムを収納する箱本体部と、当該箱本体部にその長手方向に沿って設けられ、箱本体部から引き出されたラップフィルムを切断する鋸刃を有する、ラップフィルム収納箱であって、
前記鋸刃は、箱本体部の長手方向に並んだ複数の歯山と、隣り合う歯山同士を接続する平坦部を備え、
前記各歯山は、歯先から歯元に向けて箱本体部の中央側と端側に傾斜し、当該傾斜と前記平坦部は、円弧状に連接されており、
前記歯山の前記箱本体部の中央側の傾斜と前記平坦部との間の円弧の曲率半径Ｒ１が、０．３６×（（Ｈ１＋Ｈ２）／２）＜Ｒ１＜０．５５×（（Ｈ１＋Ｈ２）／２）の条件を満たし、
前記歯山の前記箱本体部の端側の傾斜と前記平坦部との間の円弧の曲率半径Ｒ２が、０．３６×（（Ｈ１＋Ｈ２）／２）＜Ｒ２＜０．５５×（（Ｈ１＋Ｈ２）／２）の条件を満たす（Ｈ１、Ｈ２は、平坦面に対する歯山の高さであり、歯山の高さが２種類ある場合には、高い方の高さをＨ１、低い方の高さをＨ２とし、歯山の高さが１種類の場合には、その高さをＨ１、Ｈ２とする）、ラップフィルム収納箱。
【請求項２】
前記鋸刃の平坦部の長さが、０．１５ｍｍ以上、０．３０ｍｍ以下である、請求項１に記載のラップフィルム収納箱。
【請求項３】
前記鋸刃の歯山の高さＨ１およびＨ２が、０．４０ｍｍ以上、０．６０ｍｍ以下である、請求項１又は２に記載のラップフィルム収納箱。
【請求項４】
前記歯山の広がり角が５５度以上、６５度以下である、請求項１〜３のいずれかに記載のラップフィルム収納箱。
【請求項５】
前記歯先の曲率半径が０．０２ｍｍ以上、０．０８ｍｍ以下である、請求項１〜４のいずれかに記載のラップフィルム収納箱。
【請求項６】
前記鋸刃の厚みが０．１５ｍｍ以上、０．３０ｍｍ以下であり、ラップフィルムと接する側の刃先にバリが立てられている、請求項１〜５のいずれかに記載のラップフィルム収納箱。
【発明の詳細な説明】
【技術分野】
【０００１】
本発明は、一般家庭や食品販売業等で、主として食品の直接包装用に汎用されているラップフィルム収納箱に関し、特にラップフィルム収納箱に用いられる鋸刃に関するものである。
【背景技術】
【０００２】
従来から、図１に示すような柱状形の箱本体部の収納室に巻回ラップフィルムを収納したラップフィルム収納箱が知られている。この柱状形の箱には、例えば円柱状、三角から八角の多角柱状形の種々のものが知られている。そして、使用時には、箱本体部内の巻回ラップフィルムからラップフィルムが引き出され、例えば箱本体部の蓋体の前面壁の裏面に取り付けられた鋸刃によって切断される。【０００３】
現状の市販の収納箱に取り付けられている鋸刃には、一般的に金属製のものが採用されている。従来の金属製の鋸刃の形状デザインは、指等を傷つけない安全性と高度な切断性能、及びその切断性能の持続性という３つの観点から厳選されており、且つその加工精度には細心の注意を払う工程管理が行われているので、これらの観点では、消費者には『極めて優れている』という高い評価を得て重宝されている。【０００４】
また、近年の環境問題への配慮から、紙製や樹脂製の非金属製の鋸刃が検討されている。鋸刃の全体形状（歯先を結ぶ仮想線の形状）では、直線状のもの、凹形弧状のもの、凸形弧状のもの、Ｖ形突形状のもの、台形突形状のもの等が知られている。
【先行技術文献】
【特許文献】
【０００５】
【特許文献１】特許第３５６２８６７号
【特許文献２】特許第４９９６４１９号
【発明の概要】
【発明が解決しようとする課題】
【０００６】
しかしながら、上述のような収納箱には、『縦、横、斜めの方向（意図しない方向）にラップフィルムが裂ける』という苦情が多い。この種の不良現象は、例えば塩化ビニリデン系樹脂の肉厚が８〜１５μｍのラップフィルムに多い。この不良現象が発生する状況は、例えばラップフィルムの引き出しを容易にするため、収納箱に、ラップフィルムの端部を仮留めしておく仮留め部が形成されている場合に、ラップフィルムの端部をその仮留め部から剥がして次のラップフィルムを引き出す際に、そのラップフィルムの端についている鋸刃の歯山の跡から、ラップフィルムが縦方向、横方向、斜め方向（意図しない方向）に裂けてしまっている。【０００７】
この不良現象を顕著にした原因は、引き出したラップフィルムの端部が収納箱内に巻戻る現象を完全に防ぐ対策として、仮留め部の係止強度を高めたことが、仮留め部に係止したラップフィルムの剥がし取りを困難にしたことにある。しかしながら、仮に、仮留め部の係止強度を下げてラップフィルムを剥がし易くすると、今度はラップフィルムの端部が巻戻る現象が増加し、ラップフィルムの端部が巻回ラップフィルムにくっついてしまうので、意図しない方向にラップフィルムが裂ける不良現象が、巻回ラップフィルムの表面で発生し、その発生場所が移動するだけとなり、この問題の抜本対策にはなりえない。【０００８】
本発明はかかる点に鑑みてなされたものであり、鋸刃が高度な切断性能を持ち、ラップフィルムが、その切断端部から縦、横、斜め（意図しない方向）に裂けることを抑制できるラップフィルム収納箱を提供することをその目的とする。
【課題を解決するための手段】
【０００９】
即ち、本発明は以下の通りである。
（１）筒状の巻回ラップフィルムを収納する箱本体部と、当該箱本体部にその長手方向に沿って設けられ、箱本体部から引き出されたラップフィルムを切断する鋸刃を有する、ラップフィルム収納箱であって、前記鋸刃は、箱本体部の長手方向に並んだ複数の歯山と、隣り合う歯山同士を接続する平坦部を備え、前記各歯山は、歯先から歯元に向けて箱本体部の中央側と端側に傾斜し、当該傾斜と前記平坦部は、円弧状に連接されており、前記歯山の前記箱本体部の中央側の傾斜と前記平坦部との間の円弧の曲率半径Ｒ１が、０．３６×（（Ｈ１＋Ｈ２）／２）＜Ｒ１＜０．５５×（（Ｈ１＋Ｈ２）／２）の条件を満たし、前記歯山の前記箱本体部の端側の傾斜と前記平坦部との間の円弧の曲率半径Ｒ２が、０．３６×（（Ｈ１＋Ｈ２）／２）＜Ｒ２＜０．５５×（（Ｈ１＋Ｈ２）／２）の条件を満たす（Ｈ１、Ｈ２は、平坦面に対する歯山の高さであり、歯山の高さが２種類ある場合には、高い方の高さをＨ１、低い方の高さをＨ２とし、歯山の高さが１種類の場合には、その高さをＨ１、Ｈ２とする）、ラップフィルム収納箱。
（２）前記鋸刃の平坦部の長さが、０．１５ｍｍ以上、０．３０ｍｍ以下である、請求項（１）に記載のラップフィルム収納箱。
（３）前記鋸刃の歯山の高さＨ１およびＨ２が、０．４０ｍｍ以上、０．６０ｍｍ以下である、（１）又は（２）に記載のラップフィルム収納箱。
（４）前記歯山の広がり角が５５度以上、６５度以下である、（１）〜（３）のいずれかに記載のラップフィルム収納箱。
（５）前記歯先の曲率半径が０．０２ｍｍ以上、０．０８ｍｍ以下である、（１）〜（４）のいずれかに記載のラップフィルム収納箱。
（６）前記鋸刃の厚みが０．１５ｍｍ以上、０．３０ｍｍ以下であり、ラップフィルムと接する側の刃先にバリが立てられている、（１）〜（５）のいずれかに記載のラップフィルム収納箱。
【発明の効果】
【００１０】
本発明によれば、歯山の箱中央側の傾斜と平坦部との間の円弧の曲率半径Ｒ１と、歯山の箱端側の傾斜と平坦部との間の円弧の曲率半径Ｒ２を、所定の条件を満たすように設定することにより、初めラップフィルムに歯先が食い込みラップフィルムが破断し、その後隣接する歯先によるラップフィルムの破断同士が繋がる際に、それらの破断が互いにずれることがなく、鋸刃の平坦部に対応するラップフィルムに傷や亀裂が入ることを抑制できる。この結果、ラップフィルムの切断端部から縦、横、斜め（意図しない方向）に発生する裂けを抑制できる。またその際に鋸刃の切断性能が低下することを防止できる。
【図面の簡単な説明】
【００１１】
【図１】本発明のラップフィルム収納箱を組み立て、蓋体を開け、フィルムを引き出した状態を示す斜視図である。
【図２】鋸刃の全体図である。
【図３】前板に掩蓋片が重なった状態を示す説明図である。
【図４】鋸刃の中央部の拡大図である。
【図５】歯山の向きをセンターライン側に向けた鋸刃の中央部の拡大図である。
【図６】歯山の向きをエンドライン側に向けた鋸刃の中央部の拡大図である。
【図７】大きさの異なる歯山を交互に配置した鋸刃の中央部の拡大図である。
【図８】実施例、比較例の鋸刃の各種寸法を示す表である。
【図９】実施例、比較例の評価結果を示す表である。
【発明を実施するための形態】
【００１２】
以下、本発明の実施の形態について説明する。なお、以下の実施の形態は、本発明を説明するための例示であり、本発明はその実施の形態のみに限定されるものではない。
【００１３】
図１に示すラップフィルム収納箱Ａは、広く市販され汎用されている四角柱状形のものの一例である。図１において、ラップフィルム収納箱Ａは、前板１、底板２、後板３、及び脇板４とで形成された上部が開口した直方体状の収納部Ｍと、収納部Ｍの後板３側縁から収納部開口を覆う方向に連接した蓋板５、その蓋板５の側縁から前板１を覆う方向に延した掩蓋片６、及び脇板７で形成された蓋部Ｎを有し、内部に筒状の巻回ラップフィルムＲを収納する箱本体部１０を備えている。箱本体部１０には、収納部Ｍに収納した巻回ラップフィルムＲから引き出されたラップフィルムＦを切断する鋸刃Ｋが設けられている。鋸刃Ｋは、例えば長尺の長方形であり、掩蓋片６の先端に箱本体部１０の長手方向に沿って設けられている。前板１には、ラップフィルムＦの端部を仮留めする仮留め部Ｑが設けられている。そして、ラップフィルムＦを使用する際には、箱本体部１０に収納された巻回ラップフィルムＲからラップフィルムＦを必要量引き出し、掩蓋片６の鋸刃ＫでラップフィルムＦを切断する。また、ラップフィルムＦの端部が仮留め部Ｑに仮留めされている時には、当該仮留め部ＱのラップフィルムＦの端部をつまんで巻回ラップフィルムＲから引き出し、鋸刃Ｋで切断する。
【００１４】
図２は鋸刃Ｋの全体図である。鋸刃Ｋは、箱本体部１０のセンターラインＣＬを中心として左右対称に取り付けられ、箱本体部１０の長手方向の両端（エンドライン）ＥＬ間に亘り形成されている。
【００１５】
鋸刃Ｋは、図４〜図７に示すように箱本体部１０の長手方向に並んだ複数の歯山２０と、隣り合う歯山２０同士を接続する平坦部２１を備えている。各歯山２０は、歯先から歯元に向けて箱本体部１０のセンターラインＣＬ側とエンドラインＥＬ側に傾斜し、当該傾斜部分２２と平坦部２１は、円弧状に接続されている。
【００１６】
図４は、歯山２０の形状が左右対称の鋸刃Ｋの一例を示し、図５は、歯山２０の形状がセンターラインＣＬ側に傾いた（歯山２０の歯先がセンターラインＣＬ側に向いた）鋸刃Ｋの一例を示し、図６は、歯山２０の形状が、長手方向のエンドラインＥＬ側に傾いた（歯山２０の歯先がエンドラインＥＬ側に向いた）鋸刃Ｋの一例を示す。図７は、高さの異なる２種類の歯山２０を有する鋸刃Ｋの一例を示す。
【００１７】
歯山２０のセンターラインＣＬ側の傾斜部分２２と平坦部２１との間の円弧の曲率半径Ｒ１は、０．３６×（（Ｈ１＋Ｈ２）／２）＜Ｒ１＜０．５５×（（Ｈ１＋Ｈ２）／２）の条件を満たし、歯山２０のエンドラインＥＬ側の傾斜部分２２と平坦部２１との間の円弧の曲率半径Ｒ２は、０．３６×（（Ｈ１＋Ｈ２）／２）＜Ｒ２＜×０．５５（（Ｈ１＋Ｈ２）／２）の条件を満たしている。なお、Ｈ１、Ｈ２は、平坦面２１に対する歯山２０の高さであり、歯山の高さが２種類ある場合には、高い方の高さをＨ１、低い方の高さをＨ２とし、歯山の高さが１種類の場合には、その高さをＨ１、Ｈ２とする。Ｈ１、Ｈ２の高さが異なると、ラップフィルムＦが鋸刃Ｋに食い込む際に、食い込むタイミングが異なり、平坦部２１でラップフィルムＦの破断同士が繋がる際に破断が互いにずれることがあるため、Ｈ１、Ｈ２は同じ高さである方が好ましい。
【００１８】
このように、曲率半径Ｒ１と曲率半径Ｒ２を所定の条件を満たすように設定することにより、初めラップフィルムＦに歯先が食い込みラップフィルムＦが破断し、その後隣接する歯先によるラップフィルムＦの破断同士が繋がる際に、それらの破断が互いにずれることがなく、鋸刃Ｋの平坦部２１に対応するラップフィルムＦに傷や亀裂が入ることが抑制される。この結果、ラップフィルムＦの切断端部から縦、横、斜め（意図しない方向）に発生する裂けを抑制できる。またその際に鋸刃Ｋの切断性能が低下することも防止できる。
【００１９】
一方、曲率半径Ｒ１および曲率半径Ｒ２が、０．３６×（（Ｈ１＋Ｈ２）／２）未満または０．５５×（（Ｈ１＋Ｈ２）／２）を超えると、各歯先によるラップフィルムＦの破断が繋がる際に互いにずれ、平坦部２１にラップフィルムＦの亀裂が入り、切断した後のラップフィルムＦが、その切断端部から縦、横、斜め（意図しない方向）に裂ける現象が発生することになる。曲率半径Ｒ１および曲率半径Ｒ２は、同じ曲率半径である方が好ましい。
【００２０】
また、歯山２０間の平坦部２１の長さＬ２は、０．１５ｍｍ以上０．３０ｍｍ以下の範囲内であることが好ましい。より好ましくは、平坦部２１の長さＬ２は、０．１５ｍｍ以上０．２５ｍｍ以下の範囲である。平坦部２１の長さＬ２がこの範囲であると、意図しない方向にラップフィルムＦが裂ける現象が発生しにくくなる。なお、平坦部とは、平坦部２１内の高低差が、０．０５ｍｍ以下である部分を示す。
【００２１】
また、鋸刃Ｋは、金属の場合には、ブリキ等の薄い金属板を用いて作成される。金属板を用いた場合、鋸刃Ｋの厚みは０．１５ｍｍ以上０．３０ｍｍ以下の範囲内であることが望ましい。この場合、図３に示すようにラップフィルムＦと接する側の鋸刃Ｋの刃先にバリ８が立てられていてもよい。バリ８が立てられていると、ラップフィルムＦを切断する際に、バリ８がラップフィルムＦに食い込みやすく、切断性能が向上する。鋸刃Ｋの厚みが０．１５ｍｍ未満であると、ラップフィルムＦを切断するための剛性が確保できず、また、０．３０ｍｍを超えると、ラップフィルムＦを切断する際にラップフィルムＦに歯先が食い込みにくくなり、切断性能が低下する。
【００２２】
ラップフィルムＦの材質としては、ポリ塩化ビニリデン、ポリ塩化ビニル、ポリエチレン、ポリメチルペンテン、ポリエチレン/ナイロン/ポリエチレン、等を挙げることができる。ポリ塩化ビニリデンが、カット性が良い点で最も好ましい。
【００２３】
鋸刃Ｋの材質としては、ポリエステル、ポリエチレン、ポリプロピレン、ポリスチレン、アセタール樹脂、ポリフェニレンサルファイド、ＰＥＥＫ（ポリエーテル・エーテル・ケトン樹脂）、ＰＥＳ（ポリエーテルサルフォン樹脂）、ＰＰＳ（ポリフェニレンサルファイド）等を挙げることができる。
【実施例】
【００２４】
以下、本発明の実施例について説明する。【００２５】
［実施例１］
本実施例１では、図４に示したような、センターラインＣＬを中心として左右対称となっており、略二等辺三角形の歯山２０が箱本体部１０の横幅全域に設置されている鋸刃Ｋを使用した。鋸刃Ｋは、歯山２０の傾斜部分２２と平坦部２１の間の曲率半径Ｒ１およびＲ２が０．２５ｍｍ、歯山２０間の平坦部２１の長さＬ２が０．２１ｍｍである。この鋸刃Ｋを具備したラップフィルム収納箱を用い、後述する評価基準で切断性能、端面強度（切断したフィルムの端部の裂けの強度）、復旧作業時縦裂けトラブル（トラブル発生後の縦裂けのしやすさ）を評価した。【００２６】
［実施例２〜７］
本実施例２〜６では、図４に示したような、センターラインＣＬを中心として左右対称となっており、略二等辺三角形の歯山２０が箱本体部１０の横幅全域に設置されている鋸刃Ｋを使用した。鋸刃Ｋは、歯山２０の傾斜部分２２と平坦部２１の間の円弧の曲率半径Ｒ１およびＲ２が０．２０ｍｍ以上０．３０ｍｍ以下の範囲内である。また、歯山２０間の平坦部２１の長さＬ２が０．１５ｍｍ以上０．２６ｍｍ以下である。
本実施例７では、図７に示したような、センターラインＣＬを中心として左右対称となっており、大きさの異なる略二等辺三角形の歯山２０を箱本体部１０の横幅全域に交互に配置した鋸刃Ｋを使用した。鋸刃Ｋは、歯山２０の傾斜部分２２と平坦部２１の間の円弧の曲率半径Ｒ１およびＲ２が０．２０ｍｍ以上０．３０ｍｍ以下の範囲内である。また、歯山２０間の平坦部２１の長さＬ２が０．１５ｍｍ以上０．２６ｍｍ以下である。【００２７】
［比較例１〜１３］
本比較例１〜１３における鋸刃Ｋは、上記実施例と同様にセンターラインＣＬを中心として左右対称となっており、略二等辺三角形の歯山２０が箱本体部１０の横幅全域に設置されている。比較例１〜５では、歯山２０の傾斜部分２２と平坦部２１の間の円弧の曲率半径Ｒ１およびＲ２が０．１５ｍｍ以上０．３５ｍｍ以下の範囲内であり、また、歯山２０間の平坦部２１の長さＬ２が０．００ｍｍ以上０．４１ｍｍ以下であり、曲率半径Ｒ１と曲率半径Ｒ２が等しい。比較例６〜９では、歯山２０の傾斜部分２２と平坦部２１の間の円弧の曲率半径Ｒ１およびＲ２が０．１５ｍｍ以上０．６０ｍｍ以下の範囲内であり、センターラインＣＬ側の曲率半径Ｒ１がエンドラインＥＬ側の曲率半径Ｒ２より小さい。また、歯山２０間の平坦部２１の長さＬ２が０．０２ｍｍ以上０．２４ｍｍ以下である。比較例１０〜１３では、歯山２０の傾斜部分２２と平坦部２１の間の円弧の曲率半径Ｒ１およびＲ２が０．１５ｍｍ以上０．６０ｍｍ以下の範囲内であり、センターラインＣＬ側の曲率半径Ｒ１がエンドラインＥＬ側の曲率半径Ｒ２より大きい。また、歯山２０間の平坦部２１の長さＬ２が０．０２ｍｍ以上０．２４ｍｍ以下である。【００２８】
［比較例１４］
本比較例１４では、図５に示したような鋸刃Ｋを使用し、当該鋸刃ＫはセンターラインＣＬを中心として左右対称となっており、鋸刃Ｋの歯先がセンターラインＣＬ側を向いている。この比較例１４では、歯山２０の傾斜部分２２と平坦部２１の間の円弧の曲率半径Ｒ１が０．４５ｍｍおよびＲ２が０．２５ｍｍであり、また、歯山２０間の平坦部２１の長さＬ２が０．１７ｍｍである。また、歯山２０の広がり角θは４９．２度である。【００２９】
［比較例１５、１６］
本比較例では、図６に示すような鋸刃Ｋを使用し、当該鋸刃ＫはセンターラインＣＬを中心として左右対称となっており、鋸刃Ｋの歯先がエンドラインＥＬ側を向いている。比較例１５では、歯山２０の傾斜部分２２と平坦部２１の間の円弧の曲率半径Ｒ１が０．２５ｍｍおよびＲ２が０．４５ｍｍであり、また、歯山２０間の平坦部２１の長さＬ２が０．１７ｍｍである。比較例１６では、歯山２０の傾斜部分２２と平坦部２１の間のセンターラインＣＬ側の円弧の曲率半径Ｒ１が０．２５ｍｍ、エンドラインＥＬ側の円弧の曲率半径Ｒ２が０．６０ｍｍであり、また、歯山２０間の平坦部２１の長さＬ２が０．０９ｍｍである。いずれの場合も、歯山２０の歯先の広がり角θは４９．２度である。【００３０】
［比較例１７〜２０］
本比較例１７〜２０では、図７に示したような鋸刃Ｋを使用し、当該鋸刃ＫはセンターラインＣＬを中心として左右対称となっており、高さＨ１の高い歯山２０と高さＨ２の低い歯山２０の２種の歯を交互に備えている。また本比較例１７〜２０では、歯山２０の傾斜部分２２と平坦部２１の間の円弧の曲率半径Ｒ１およびＲ２が０．１５ｍｍ以上０．３５ｍｍ以下の範囲内であり、また、歯山２０間の平坦部２１の長さＬ２が０．００ｍｍ以上０．３２ｍｍ以下である。【００３１】
以上の実施例及び比較例では、歯山２０の高さ、歯山２０の歯先の広がり角、平坦部２１と歯山２０の傾斜部分２２の円弧の曲率半径Ｒ１、Ｒ２、及び歯山２０間の平坦部２１の長さの異なる金属製の鋸刃Ｋを用意した。上記実施例及び比較例の各鋸刃Ｋの構成は、図４〜７に示される形状であり、図８の表１に示す通りである。上記実施例及び比較例の各鋸刃Ｋは、旭化成ホームプロダクツ株式会社により製造、販売されている「サランラップ」（登録商標）に使用されているラップフィルム収納箱（長さ約３１ｃｍ、幅４．５ｃｍ、高さ４．５ｃｍの紙製の箱）に接着された。そして、該ラップフィルム収納箱内に収容されたポリ塩化ビニリデンのラップフィルムを実際に切断した。【００３２】
［評価基準と結果］
本発明の実施例に用いた評価方法及び評価尺度は以下のとおりであり、各評価結果と合否（○：合格、×：不合格）は、図９に示した。【００３３】
（１）切断性能
ラップフィルム収納箱ＡからラップフィルムＦを１ｍ／ｍｉｎの速さで引き出し、収納箱Ａ（掩蓋片６の鋸刃Ｋ）とラップフィルムＦの端との間でなす角度を５０度にし、ラップフィルムＦを鋸刃Ｋの一端から他端に向けて順次切断する『通常スイングカット』と、収納箱ＡとラップフィルムＦとの平行関係を維持したまま、ラップフィルムＦを鋸刃Ｋの一端から他端に向けて順次切断する『疑似スイングカット』を５回ずつ行い、カットエネルギーを測定した。カットのしやすさの観点から、カットエネルギーが２５ｍＪ以下を切断性能が良好とみなし、合格とした。各収納箱Ａでのカットエネルギーの測定値を図９に示した（小数点第２位以下は四捨五入）。【００３４】
各実施例１〜７と比較例１〜３、５〜１５は合格であるが、比較例４、１６〜２０はカットエネルギーが高いため切断性能が悪いとみなし不合格である。また、比較例１７〜２０のカットエネルギーが高いことより、異なる大小の２種の歯を交互に備えた場合、切断性能は悪化することがわかる。【００３５】
（２）端面強度（切断したフィルムの端部の裂けの強度）
ラップフィルム収納箱Ａから約３０ｃｍの長さのラップフィルムＦを引き出し、これを切断したのち、切断したラップフィルムＦの端部の中央部の摘みしろ５ｍｍを挟み、速度２０ｄｅｇ／ｓｅｃで裂いたときの裂けの強度を２０回ずつ測定した。縦裂けの起こりにくさの観点から、端面強度が１５Ｎ以上を合格とした。各収納箱Ａでの端面強度の測定値を表２に示した（小数点第２位以下は四捨五入）。【００３６】
各実施例１〜７と比較例４、５、７、８、１２、１４、１５は合格であるが、比較例１〜３、６、９〜１１、１３、１６〜２０は端面強度が低く、切断したラップフィルムＦの端部が縦裂けしやすいとみなし不合格である。特に、歯山２０間の平坦部２１の長さが０．１０ｍｍ以下であるように短い場合は、歯先でラップフィルムＦを切断後、各ラップフィルムＦの破断が繋がる際にずれが生じ、平坦部２１にラップフィルムＦの亀裂が入りやすく、端面強度が低いことがわかる。【００３７】
（３）復旧作業時縦裂けトラブル（トラブル発生後の縦裂けのしやすさ）
ラップフィルムＦを切断後、『巻回ラップフィルムに巻き戻ったラップフィルムが密着』した場合を想定し、収納箱Ａから約３０ｃｍの長さのラップフィルムＦを引き出し、これを切断したのちラップフィルムの切断端部を巻回ラップフィルムＲに密着させ、セロテープ（登録商標）で端からラップフィルムＦを剥がす復旧作業を２０回ずつ行い、縦裂け発生回数を評価し、縦裂け発生率を算出した。縦裂けの起こりにくさの観点から、縦裂け発生率が３０％以下を合格とした。各収納箱Ａでの縦裂け発生率を図９に示した。【００３８】
各実施例１〜７と比較例７は合格であるが、比較例１〜６、８〜２０は縦裂け発生率が高く、ラップフィルムＦを切断後、巻回ラップフィルムＲに巻戻ったラップフィルムＦが密着したトラブルが発生した場合の縦裂けが発生しやすいとみなし不合格である。特に、比較例９、１３、１６のように、平坦部２１と傾斜部分２２の円弧の曲率半径が０．６０ｍｍと大きい場合は、縦裂けが発生しやすいことがわかる。【００３９】
以上の結果より、本発明のラップフィルム収納箱Ａは、従来（市販）品の持つ切断性能は保持した状態で、切断したラップフィルムＦの端部の裂けの強度を従来（市販）品の１．５倍に上昇させる効果がある。また、ラップフィルムＦの切断端部を巻回ラップフィルムＲに密着させ、セロテープ（登録商標）で端からラップフィルムＦを剥がす作業を行った場合、『縦、横、斜めの方向（意図しない方向）にラップフィルムが裂ける』縦裂け発生率を従来（市販）品の１／２以下に減少させる効果がある。
【符号の説明】
【００４０】
１  前板
２  底板
３  後板
４  脇板
５  蓋板
６  掩蓋片
７  脇板
８  バリ
１０  箱本体部
２０  歯山
２１  平坦部
２２  傾斜部分
Ａ  ラップフィルム収納箱
Ｆ  ラップフィルム
Ｋ  鋸刃
Ｍ  収納部
Ｎ  蓋体
Ｑ  仮留め部
Ｒ  巻回ラップフィルム
Ｒ１、Ｒ２  曲率半径
【図１】
2014181752.tif 000003
【図２】
2014181752.tif 000004
【図３】
2014181752.tif 000005
【図４】
2014181752.tif 000006
【図５】
2014181752.tif 000007
【図６】
2014181752.tif 000008
【図７】
2014181752.tif 000009
【図８】
2014181752.tif 000010
【図９】
2014181752.tif 000011
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
筒状の巻回ラップフィルムを収納する箱本体部と、当該箱本体部にその長手方向に沿って設けられ、箱本体部から引き出されたラップフィルムを切断する鋸刃を有する、ラップフィルム収納箱であって、
前記鋸刃は、箱本体部の長手方向に並んだ複数の歯山と、隣り合う歯山同士を接続する平坦部を備え、
前記各歯山は、歯先から歯元に向けて箱本体部の中央側と端側に傾斜し、当該傾斜と前記平坦部は、円弧状に連接されており、
前記歯山の前記箱本体部の中央側の傾斜と前記平坦部との間の円弧の曲率半径Ｒ１が、０．３６×（（Ｈ１＋Ｈ２）／２）＜Ｒ１＜０．５５×（（Ｈ１＋Ｈ２）／２）の条件を満たし、
前記歯山の前記箱本体部の端側の傾斜と前記平坦部との間の円弧の曲率半径Ｒ２が、０．３６×（（Ｈ１＋Ｈ２）／２）＜Ｒ２＜０．５５×（（Ｈ１＋Ｈ２）／２）の条件を満たし（Ｈ１、Ｈ２は、平坦面に対する歯山の高さであり、歯山の高さが２種類ある場合には、高い方の高さをＨ１、低い方の高さをＨ２とし、歯山の高さが１種類の場合には、その高さをＨ１、Ｈ２とする）、
前記鋸刃の平坦部の長さが、０．１５ｍｍ以上、０．２５ｍｍ以下である、ラップフィルム収納箱。
【請求項２】
前記高さＨ１と前記高さＨ２は、同じである、請求項１に記載のラップフィルム収納箱。
【請求項３】
前記鋸刃の歯山の高さＨ１およびＨ２が、０．４０ｍｍ以上、０．６０ｍｍ以下である、請求項１又は２に記載のラップフィルム収納箱。
【請求項４】
前記歯山の広がり角が５５度以上、６５度以下である、請求項１〜３のいずれかに記載のラップフィルム収納箱。
【請求項５】
前記歯先の曲率半径が０．０２ｍｍ以上、０．０８ｍｍ以下である、請求項１〜４のいずれかに記載のラップフィルム収納箱。
【請求項６】
前記鋸刃の厚みが０．１５ｍｍ以上、０．３０ｍｍ以下であり、ラップフィルムと接する側の刃先にバリが立てられている、請求項１〜５のいずれかに記載のラップフィルム収納箱。
【手続補正２】
【補正対象書類名】明細書
【補正対象項目名】０００９
【補正方法】変更
【補正の内容】
【０００９】
即ち、本発明は以下の通りである。
（１）筒状の巻回ラップフィルムを収納する箱本体部と、当該箱本体部にその長手方向に沿って設けられ、箱本体部から引き出されたラップフィルムを切断する鋸刃を有する、ラップフィルム収納箱であって、前記鋸刃は、箱本体部の長手方向に並んだ複数の歯山と、隣り合う歯山同士を接続する平坦部を備え、前記各歯山は、歯先から歯元に向けて箱本体部の中央側と端側に傾斜し、当該傾斜と前記平坦部は、円弧状に連接されており、前記歯山の前記箱本体部の中央側の傾斜と前記平坦部との間の円弧の曲率半径Ｒ１が、０．３６×（（Ｈ１＋Ｈ２）／２）＜Ｒ１＜０．５５×（（Ｈ１＋Ｈ２）／２）の条件を満たし、前記歯山の前記箱本体部の端側の傾斜と前記平坦部との間の円弧の曲率半径Ｒ２が、０．３６×（（Ｈ１＋Ｈ２）／２）＜Ｒ２＜０．５５×（（Ｈ１＋Ｈ２）／２）の条件を満たし（Ｈ１、Ｈ２は、平坦面に対する歯山の高さであり、歯山の高さが２種類ある場合には、高い方の高さをＨ１、低い方の高さをＨ２とし、歯山の高さが１種類の場合には、その高さをＨ１、Ｈ２とする）、前記鋸刃の平坦部の長さが、０．１５ｍｍ以上、０．２５ｍｍ以下である、ラップフィルム収納箱。
（２）前記高さＨ１と前記高さＨ２は、同じである、（１）に記載のラップフィルム収納箱。
（３）前記鋸刃の歯山の高さＨ１およびＨ２が、０．４０ｍｍ以上、０．６０ｍｍ以下である、（１）又は（２）に記載のラップフィルム収納箱。
（４）前記歯山の広がり角が５５度以上、６５度以下である、（１）〜（３）のいずれかに記載のラップフィルム収納箱。
（５）前記歯先の曲率半径が０．０２ｍｍ以上、０．０８ｍｍ以下である、（１）〜（４）のいずれかに記載のラップフィルム収納箱。
（６）前記鋸刃の厚みが０．１５ｍｍ以上、０．３０ｍｍ以下であり、ラップフィルムと接する側の刃先にバリが立てられている、（１）〜（５）のいずれかに記載のラップフィルム収納箱。
【手続補正３】
【補正対象書類名】明細書
【補正対象項目名】００２６
【補正方法】変更
【補正の内容】
【００２６】
［参考例２、実施例３〜５、参考例６、実施例７］
参考例２、実施例３〜５、参考例６、実施例７では、図４に示したような、センターラインＣＬを中心として左右対称となっており、略二等辺三角形の歯山２０が箱本体部１０の横幅全域に設置されている鋸刃Ｋを使用した。鋸刃Ｋは、歯山２０の傾斜部分２２と平坦部２１の間の円弧の曲率半径Ｒ１およびＲ２が０．２０ｍｍ以上０．３０ｍｍ以下の範囲内である。また、歯山２０間の平坦部２１の長さＬ２が０．１５ｍｍ以上０．２６ｍｍ以下である。
本実施例７では、図７に示したような、センターラインＣＬを中心として左右対称となっており、大きさの異なる略二等辺三角形の歯山２０を箱本体部１０の横幅全域に交互に配置した鋸刃Ｋを使用した。鋸刃Ｋは、歯山２０の傾斜部分２２と平坦部２１の間の円弧の曲率半径Ｒ１およびＲ２が０．２０ｍｍ以上０．３０ｍｍ以下の範囲内である。また、歯山２０間の平坦部２１の長さＬ２が０．１５ｍｍ以上０．２６ｍｍ以下である。
【手続補正４】
【補正対象書類名】明細書
【補正対象項目名】００３４
【補正方法】変更
【補正の内容】
【００３４】
各実施例１、参考例２、実施例３〜５、参考例６、実施例７と比較例１〜３、５〜１５は合格であるが、比較例４、１６〜２０はカットエネルギーが高いため切断性能が悪いとみなし不合格である。また、比較例１７〜２０のカットエネルギーが高いことより、異なる大小の２種の歯を交互に備えた場合、切断性能は悪化することがわかる。
【手続補正５】
【補正対象書類名】明細書
【補正対象項目名】００３６
【補正方法】変更
【補正の内容】
【００３６】
各実施例１、参考例２、実施例３〜５、参考例６、実施例７〜７と比較例４、５、７、８、１２、１４、１５は合格であるが、比較例１〜３、６、９〜１１、１３、１６〜２０は端面強度が低く、切断したラップフィルムＦの端部が縦裂けしやすいとみなし不合格である。特に、歯山２０間の平坦部２１の長さが０．１０ｍｍ以下であるように短い場合は、歯先でラップフィルムＦを切断後、各ラップフィルムＦの破断が繋がる際にずれが生じ、平坦部２１にラップフィルムＦの亀裂が入りやすく、端面強度が低いことがわかる。
【手続補正６】
【補正対象書類名】明細書
【補正対象項目名】００３８
【補正方法】変更
【補正の内容】
【００３８】
各実施例１、参考例２、実施例３〜５、参考例６、実施例７〜７と比較例７は合格であるが、比較例１〜６、８〜２０は縦裂け発生率が高く、ラップフィルムＦを切断後、巻回ラップフィルムＲに巻戻ったラップフィルムＦが密着したトラブルが発生した場合の縦裂けが発生しやすいとみなし不合格である。特に、比較例９、１３、１６のように、平坦部２１と傾斜部分２２の円弧の曲率半径が０．６０ｍｍと大きい場合は、縦裂けが発生しやすいことがわかる。
【手続補正７】
【補正対象書類名】図面
【補正対象項目名】図８
【補正方法】変更
【補正の内容】
【図８】
2014181752.tif 000012
【手続補正８】
【補正対象書類名】図面
【補正対象項目名】図９
【補正方法】変更
【補正の内容】
【図９】
2014181752.tif 000013
【国際調査報告】
2014181752.tif 000014
2014181752.tif 000015
2014181752.tif 000016
2014181752.tif 000017